(57)【特許請求の範囲】
【請求項１】
戸先側縦枠と戸尻側縦枠と上枠より門形に形成されて建物側の鉄骨に固定される引戸枠に、点検側と固定側に所定間隔を有して点検側中枠と固定側中枠が戸先側縦枠と戸尻側縦枠間に設けられ、戸尻側縦枠と点検側中枠ならびに固定側中枠間を戸袋側となし、戸先側縦枠と点検側中枠間ならびに固定側中枠間を出入口側となし、戸袋側と出入口側を摺動自在で、出入口側を開閉自在となす引戸を、点検側中枠と固定側中枠間に配設し、出入口点検側と出入口固定側の上部に、点検側ランマパネルと固定側ランマパネルが所定間隔を有して対向して配設され、少なくとも、戸袋側の表面が建物の壁面と略面一とした化粧ボードで覆われてなる引戸本体の不動部材側に、引戸を閉塞する側に引き込む閉鎖用引き込み装置と、引戸を開放する側に引き込む開放用引き込み装置の２体の引き込み装置が設置され、閉鎖用引き込み装置を作動させる閉鎖用係止突起と、開放用引き込み装置を作動させる開放用係止突起が、引戸の摺動移動に合わせて移動する引戸本体の移動部材側に設置される引戸装置において、開放用係止突起と閉鎖用係止突起は、開放用係止突起と閉鎖用係止突起の摺動軌道が互いに干渉しない位置に設置されるとともに開放用係止突起が、閉鎖用係止突起より戸先寄りに設置され、閉鎖用引き込み装置と開放用引き込み装置の取り付け位置を、高さ方向や、点検側と固定側方向で変位させていることを特徴とする引戸装置。
【発明の詳細な説明】
【技術分野】
【０００１】
本発明は、引戸装置の引き込み装置の設置方法に関するものである。
【背景技術】
【０００２】
従来、特許文献１に示されるように、引戸を戸閉側端部に強制的、かつ、引戸の速度を減速させながら引き寄せ、戸閉動作を行う引き込み装置を備えた引戸が提案されている。
このような引き込み装置を引戸枠の戸先側に設置し、引戸の戸先側に引き込み装置を起動させる係止突起を設置することによって引戸を引き込み閉鎖させているが、引戸枠の戸袋部となる戸尻側にも引き込み装置を設置し、引戸の戸尻側に引き込み装置を起動させる係止突起を設置することによって引戸の開放時においても戸尻側に引戸を引き込み、引戸を開放させていることがある。
しかしながら、戸袋部に引き込み装置を設置した場合、引き込み装置の設置や調整、交換などのメンテナンスのために戸袋部を開放しなければならない。
そのため、戸袋部を、壁面を形成する化粧ボードで覆い、引戸の開放時に引戸が引き込まれる戸袋を壁内に設けた壁収納型の引戸装置には、戸袋部が化粧ボードで隠蔽されているので引戸の開放時に作用する引き込み装置を設置することができなかった。
【先行技術文献】
【特許文献】
【０００３】
【特許文献１】特開２００５−２３６１５公報
【発明の概要】
【発明が解決しようとする課題】
【０００４】
本発明は、壁収納型の引戸装置に、引戸の閉鎖時に作用する引き込み装置に加え、引戸の開放時に作用する引き込み装置も設置する方法を提供することを課題とする。
【課題を解決するための手段】
【０００５】
上記課題を解決する為、本発明が第１の手段として構成したところは、戸先側縦枠と戸尻側縦枠と上枠より門形に形成されて建物側の鉄骨に固定される引戸枠に、点検側と固定側に所定間隔を有して点検側中枠と固定側中枠が戸先側縦枠と戸尻側縦枠間に設けられ、戸尻側縦枠と点検側中枠ならびに固定側中枠間を戸袋側となし、戸先側縦枠と点検側中中枠間ならびに固定側中枠間を出入口側となし、戸袋側と出入口側を摺動自在で、出入口側を開閉自在となす引戸を、点検側中枠と固定側中枠間に配設し、出入口点検側と出入口固定側の上部に、点検側ランマパネルと固定側ランマパネルが所定間隔を有して対向して配設され、少なくとも、戸袋側の表面が建物の壁面と略面一とした化粧ボードで覆われてなる引戸本体の不動部材側に、引戸を閉塞する側に引き込む閉鎖用引き込み装置と、引戸を開放する側に引き込む開放用引き込み装置の２体の引き込み装置が設置され、閉鎖用引き込み装置を作動させる閉鎖用係止突起と、開放用引き込み装置を作動させる開放用係止突起が、引戸の摺動移動に合わせて移動する引戸本体の移動部材側に設置される引戸装置において、開放用係止突起と閉鎖用係止突起は、開放用係止突起と閉鎖用係止突起の摺動軌道が互いに干渉しない位置に設置されるとともに開放用係止突起が、閉鎖用係止突起より戸先寄りに設置され、閉鎖用引き込み装置と開放用引き込み装置の取り付け位置を、高さ方向や、点検側と固定側方向で変位させているものである。
【発明の効果】
【０００６】
第１手段として構成したところによると、
閉鎖用引き込み装置と開放用引き込み装置の取り付け位置が、高さ方向や、点検側と固定側方向で変位しているので、閉鎖用引き込み装置は、開放用係止突起の摺動軌道から離間した位置、開放用引き込み装置は、閉鎖用係止突起の摺動軌道から離間した位置に設置できるため、開放用係止突起と閉鎖用係止突起は、開放用係止突起と閉鎖用係止突起の摺動軌道が互いに干渉しない位置に設置されるので、開放用係止突起は閉鎖用引き込み装置と、閉鎖用係止突起は開放用引き込み装置と干渉することがなく、閉鎖用引き込み装置と開放用引き込み装置は互いに開閉側で近づけて設置させることができる。さらに、開放用係止突起が、閉鎖用係止突起より戸先寄りに設置されるので、開放用引き込み装置を閉鎖用引き込み装置に開閉（引戸の摺動）方向で近づけて設置することができる。
そのため、開放用引き込み装置を戸袋部の戸尻付近に設置する必要がなく、少なくとも開放用引き込み装置と開放用係止突起の係合開始部が点検側ランマパネルから望む位置に設置させることができるので、開放用引き込み装置設置、メンテナンスが容易である。
【図面の簡単な説明】
【０００７】
【図１】本発明の引戸の閉鎖状態の正面略図。
【図２】図１のＡ―Ａ線断面拡大図。
【図３】図１のＢ―Ｂ線断面拡大図。
【図４】図１のＣ―Ｃ線断面拡大図。
【図５】戸先側引戸縦枠部分の要部拡大断面図。
【図６】図１のＤ―Ｄ線断面に相当し、点検側ランマパネルと固定側ランマパネル部を示す拡大略図。
【図７】閉鎖用引き込み装置の正面図。
【図８】閉鎖用引き込み装置の右側面図。
【図９】閉鎖用引き込み装置の開放方向の動作開始時を示す概略図。
【図１０】閉鎖用引き込み装置の開放方向の動作途中を示す概略図。
【図１１】閉鎖用引き込み装置の開放方向の動作途中を示す概略図。
【図１２】閉鎖用引き込み装置の開放方向の動作完了時を示す概略図。
【図１３】閉鎖用引き込み装置の引き込み方向の動作開始時を示す概略図。
【図１４】閉鎖用引き込み装置の引き込み動作途中を示す概略図。
【図１５】閉鎖用引き込み装置の引き込み動作途中を示す概略図。
【図１６】閉鎖用引き込み装置の引き込み動作完了時を示す概略図。
【図１７】引戸が閉鎖した状態の正面部分拡大略図。
【図１８】引戸が開放した状態の正面部分拡大略図。
【図１９】第２実施例の正面部分拡大略図。
【図２０】第２実施例の縦断面拡大図。
【図２１】第３実施例の縦断面拡大図。
【発明を実施するための形態】
【０００８】
戸先側縦枠と戸尻側縦枠と上枠より門形に形成されて建物側の鉄骨に固定される引戸枠に、点検側と固定側に所定間隔を有して点検側中枠と固定側中枠が戸先側縦枠と戸尻側縦枠間に設けられ、戸尻側縦枠と点検側中枠間を戸袋点検側、戸尻側縦枠と固定側中枠間を戸袋固定側となし、戸先側縦枠と点検側中枠間を出入口点検側、戸先側縦枠と固定側中枠間を出入口固定側となし、戸袋側と出入口側を摺動自在で、出入口側を開閉自在となす引戸を、点検側中枠と固定側中枠間に配設し、出入口点検側と出入口固定側の上部に点検側ランマパネルと固定側ランマパネルが所定間隔を有して対向して配設され、少なくとも、戸袋点検側及び戸袋固定側の表面が建物の壁面と略面一とした化粧ボードで覆われてなる引戸本体のレール保持材に、引戸を閉塞する側に引き込む閉鎖用引き込み装置と、引戸を開放する側に引き込む開放用引き込み装置の２体の引き込み装置が設置され、閉鎖用引き込み装置を作動させる閉鎖用係止突起と、開放用引き込み装置を作動させる開放用係止突起が、引戸の摺動移動に合わせて移動する引戸本体の吊り金具に設置される引戸装置において、開放用係止突起と閉鎖用係止突起を、開放用係止突起と閉鎖用係止突起の摺動軌道が互いに干渉しない位置に設置し、開放用係止突起を、閉鎖用係止突起より戸先寄りに設置し、閉鎖用引き込み装置と開放用引き込み装置の取り付け位置を、高さ方向、点検側と固定側方向で変位させる。
【実施例】
【０００９】
以下、第１実施例を添付図面に基づいて詳述する。
図１において、符号１は引戸枠を示している。
引戸枠１は、図１から図４に示すように、建物用鉄骨１１・・・にブラケット１２・・・を介して固定された戸尻側縦枠１３および戸先側縦枠１４と、戸尻側縦枠１３と戸先側縦枠１４の上端間に配設され、建物用鉄骨１１・・・に連結された上枠１５等より構成されている。
【００１０】
そして、戸尻側縦枠１３と戸先側縦枠１４間のほぼ中間位置で、上枠１５の前側（実施例では点検側、）と後側（実施例では室外側）の両面に上端が連結され、下端部が床面に埋め込まれた前中縦枠３と後中縦枠３０が、前後に所定間隔を有して配設されている。
以下、戸尻側縦枠１３と前後中縦枠３、３０間を戸袋側、戸先側縦枠１４と前後中縦枠３、３０間を出入口側、前中縦枠３と後中縦枠３０の方向を前後方向、戸尻側縦枠１３と戸先側縦枠１４の方向を開閉方向と云う。
【００１１】
図１、図２、図４において、符号２は、戸尻側縦枠１３と戸先側縦枠１４の上端内面に、開閉方向の両端部が高さ調節可能に連結されているレール保持材を示している。
レール保持材２の前面側にはレール部材５が取り付けられ、レール部材５には引戸６が吊り下げられている。
符号１６は、戸袋側の床面全幅にわたって固定されたベース材を示し、符号４は、ベース材１６の出入口側端部に設けられたガイド装置を示している。
図１、図３、図４において、符号１７は、戸袋室内側及び戸袋室外側の両面上下方向に所定間隔を有して配設された下地桟を示している。
図２において符号１８は、前中縦枠３と戸先側縦枠１４の上端部間に配設された、前中縦枠３の前後方向の幅とほぼ同じ幅を有する、前化粧枠を示し、符号１９は、後中縦枠３０と戸先側縦枠１４の上端部間に配設された、後中縦枠３０の前後方向の幅とほぼ同じ幅を有する、後化粧枠を示す。
【００１２】
そして、上記戸尻側縦枠１３、戸先側縦枠１４、上枠１５、レール部材５が取り付けられたレール保持材２、ベース材１６、前中縦枠３、後中縦枠３０、下地桟１７・・・・・、ガイド装置４、前化粧枠１８、後化粧枠１９が内装仕上げ（化粧ボード１００、クロス等の貼り付け）の行われるまでに施工され、内装仕上げが終了した後、引戸６がレール部材５に吊り込まれ、床面との調整、引戸６の摺動・引き込み確認、レール保持材２の連結固定等が行われる。そして、その後、点検側ランマパネル７、固定側固定側ランマパネル７０が引戸６の上方に引戸６と表面が面一に取り付けられる。
すなわち、本発明の実施例１では、施工が完了した状態では、戸先側縦枠１４、前中縦枠３、後中縦枠３０、前化粧枠１８、後化粧枠１９、点検側ランマパネル７、固定側ランマパネル７０、引戸６以外は化粧ボード１００で隠蔽された状態となる。
【００１３】
以下、本件発明に関係する部材について詳述する。
戸尻側縦枠１３は横断面略コ字形に形成され、建物用鉄骨１１の出入口側面から所定寸法離間した位置に立設され、L字形のブラケット１２・・・と建物用鉄骨１１が溶接されたあと、鉛直姿勢の状態でブラケット１２と溶接される。符号１３８は、引戸６が全開した時、引戸６の戸尻側端面が当接する、出入口側面に取り付けられた緩衝部材を示している。
【００１４】
戸先側縦枠１４は、図５に示すように、建物側鉄骨１１側の上下方向に所定間隔を有して固定用部材１４１・・・が設けられ、前後方向で室内側と室外側（前後）に突出して室内側の化粧ボード１００の出入り口側端面を隠蔽する室内側ボード閉塞突部１４７と、室外側の化粧ボード１００の出入口側端面を隠蔽する室外側ボード閉塞突部１４６と、室内側ボード閉塞突部１４７と室外側ボード閉塞突部１４６間に位置し、上部が室内側ボード閉塞突部１４７と室外側ボード閉塞突部１４６より上方に突出し、引戸６の戸先側端部が位置する部分に上下方向に渡って閉鎖用凹部１４８が設けられている。
【００１５】
上枠１５は、図２に示すように、断面上向き略コ字形に構成されている。
L字形のブラケット１２・・・と建物用鉄骨１１が溶接されたあと、水平姿勢の状態でブラケット１２と溶接される。
【００１６】
戸先側縦枠１４と上枠１５は上記のように構成され、戸尻側縦枠１３が立設された後、上枠１５の戸先側を戸先側縦枠１４にネジ止めして、上枠１５と戸先側縦枠１４を仮組みした状態で、上枠１５と戸尻側縦枠１３を同様にして仮組みする。
次に、上記の状態を維持しながら戸先側のL字形のブラケット１２・・・を介して、戸先側縦枠１４の固定用部材１４１・・・建物用鉄骨１１と溶接連結し、次に上枠１５と建物用鉄骨１１を連結する。
【００１７】
ベース材１６は、図３、図４に示すように、戸袋側の床面全幅に位置する固定面１６１と、固定面１６１の室内側（点検側）及び室外側（固定側）の端部に形成された立ち上がり面１６２、１６２と、立ち上がり面１６２、１６２から内方に突出して形成されたＬ字形の下地ボード受け面１６３、１６３と、固定面１６１の出入り口側端部に、出入り口側に突出し、引戸６の下端面に形成された嵌合溝６０内に嵌合するガイドローラー４１を、その上面で回転自在に保持するガイド装置４が固着されている。
そして、ガイドローラー取付部材１６４の出入り口側端部はアンカーボルトにて床面に固定されると共に、ベース材１６の出入口側端部は室内側中枠３、室外側中枠３０の内面と連結され、さらに、戸尻側端部が戸尻側縦枠１３と連結され床面に固定される。
【００１８】
下地桟１７は、図１、図４に示すように、基板表面部１７１と、基板表面部１７１の上下端部をL字形に折り曲げた上下フランジ部１７２、１７３より構成され、基板表面部１７１の戸先側端部に取り付けられた係合片が、室外側中枠３０と室内側中枠３に上下方向に所定間隔を有して設けられた係合孔に差し込まれ、基板表面部１７１の戸尻側端部が戸尻側縦枠１３にネジ止め連結され、上下方向に所定間隔を有して配設される。
【００１９】
ガイド装置４は、図２に示すように、引戸６の下面の嵌合溝６０に嵌合するガイドローラー４１と、ガイドローラー４１を、その上面で回転自在に保持するガイドローラー取付部材４２より構成されている。
そして、ガイドローラー取付部材４２の出入り口側端部がアンカーボルトにて床面に固定される。
【００２０】
前後中縦枠３、３０は前後方向で対称形に形成されている。
前中縦枠３は、上端部が上枠１５の室内側垂直面にネジ止め連結される内面側に位置する補強枠３１と、補強枠３１の出入り口側の端部から室内側に位置する室内側外側枠３６より構成されている。
そして、室内側外側枠３６は、出入り口側の端部から室内側に突出し、室内側戸袋化粧ボード１００の出入口側端部を隠蔽する室内側中枠突部３２と、室内側中枠突部３２の内面側端部から戸尻側縦枠１３方向に突出し、室内側戸袋化粧ボード１００が貼り付けられる化粧ボード支持部３３と、化粧ボード支持部３３の戸尻側縦枠１３側の端部からL字形に戸尻側縦枠１３方向に突出し、下地桟４・・・の室内側中枠３側の端部の係止片１７４と係合する係合孔を有する下地桟連結部３４より形成され、下端部がベース材１６と連結され、床面仕上げ時に下端が床面に埋め込まれて立設される。
【００２１】
前中縦枠３０は、上端部が上枠１５の室外側垂直面にネジ止め連結される内面側に位置する補強枠３０１と、補強枠３０１の出入り口側の端部から室外側に位置する室外側外側枠３０６より構成されている。
そして、室外側外側枠３０６は、出入り口側の端部から室外側に突出し、室外側戸袋化粧ボード１００の出入口側端部を隠蔽する室外側中枠突部３０２と、室外側中枠突部３０２の内面側端部から戸尻側縦枠１３方向に突出し、室外側戸袋化粧ボード１００が貼り付けられる化粧ボード支持部３０３と、化粧ボード支持部３０３の戸尻側縦枠１３側の端部からL字形に戸尻側縦枠１３方向に突出し、下地桟４・・・の室内側中枠３側の端部の係止片１７４と係合する係合孔を有する下地桟連結部３０４より形成され、下端部がベース材１６と連結され、床面仕上げ時に下端が床面に埋め込まれて立設される。
【００２２】
前後化粧枠１８、１９は図２に示すように、前後方向で対称形に形成されている。すなわち、前化粧枠１８は、開閉方向の左右端部が前中縦枠３の上端部内面と戸先側縦枠１４の上端部前内面間に配設され、後端面１８１と前記点検側ランマパネル上保持突片１５５間に、点検側ランマパネル上嵌入用間隙１８２が形成される。
一方、後化粧枠１９は、開閉方向の左右端部が後中縦枠３０の上端部内面と戸先側縦枠１４の上端部後側内面間に配設さて、前端面１９１と前記ランマパネル上保持突片１５６間に、ランマパネル上嵌入用間隙１９２が形成される。
【００２３】
固定側ランマパネル７０と点検側ランマパネル７は、前後方向で略対称形に形成されている。
固定側ランマパネル７０は、横長板状に形成され表面が取り付け状態で引戸６の後面側と面一に上方に配設される後表面板７０１と、前記ランマパネル上嵌入用間隙１９２に下方から嵌入するランマパネル上嵌入部７０２と、後表面板７０１の戸先側端部に形成されたランマパネル戸先側嵌入部７０３とからなる。
【００２４】
点検側ランマパネル７には、横長板状に形成され表面が取り付け状態で取り付け状態で引戸６の前面板と面一に上方に配設される前表面板７１と、前表面板７１の上部に形成された、前記点検側ランマパネル上嵌入用間隙１８２に下方から嵌入する点検側ランマパネル上嵌入部７２と、前表面板７１の戸先側端部に形成された点検側ランマパネル戸先側嵌入部７３とからなる。
【００２５】
レール保持材２は、図２に示すように、レール部材５が前側に連結されるレール部材連結壁を有し、戸先側縦枠１４と戸尻側縦枠１３の上端部間に、高さ調節可能で、水平状態に配設され、引戸６の摺動には連動せず、引戸枠、点検側ランマパネル、固定側ランマパネルと共に不動部材である。
【００２６】
レール部材５は、レール保持材２のほぼ全幅に渡って配設され、図２に示すように、断面略C字形で、レール保持材２よりやや短目のレール補強部材と、レール補強部材の室内側にネジ止め連結される断面略C字形で、レール補強部材とほぼ同長の外側メンバーと、外側メンバーの略３分の２程度の長さのボールリテーナに回転自在に保持されたボールを介して、外側メンバーに摺動自在に保持される、外側メンバーの略３分の１程度の長さの移動側メンバーより構成され、移動側メンバーの前面側には、移動側メンバーと同程度の長さの吊り下げ用金具５１が固着されている。
【００２７】
吊り下げ用金具５１は、図２に示すように、移動側メンバーの前面側に固着される連結固着部５２と、連結固着部５２の下端部に連設された前面側が開口するコ字形の吊り下げ支持部５３より構成されている。
そして、吊り下げ支持部５３の開閉方向側両端部には、前面側が開口する吊り下げボルト挿通孔が形成されている。
尚、吊り下げ用金具５１は、引戸６が吊り下げられた状態で、引戸６の開閉移動に合わせてレール部材５上を摺動移動する移動部材である。
【００２８】
引戸６は、図１から図３及び図５、に示す如くパネル形状をなし、下端面の開閉方向に前記ガイドローラー４１が嵌合する嵌合溝６０が形成され、上端面の開閉方向に所定間隔を有して、吊り下げ用連結螺孔６１、６１が形成され、吊り下げ用連結螺孔６１、６１には戸先側、戸尻側吊り下げボルト６２、６２が螺合している。そして、引戸６の戸先側端面には、引戸の閉鎖状態で戸先側縦枠１４の閉鎖用凹部１４８内に位置する戸当たり６００が、戸先側縦枠１４方向に突出して設けられている。
符号３００は、引戸６の戸先側端部で、点検側（室内側）、固定側（室外側）に設けられた取手を示している。
【００２９】
吊り下げボルト６１は、螺軸部とボルト頭部よりなり、点検側ランマパネル７が取り外された状態の出入口の点検側より、吊り下げボルト６１、６１の螺軸部が、吊り下げ支持部５３の吊り下げボルト挿通孔を挿通して、ボルト頭部が吊り下げ用支持部５３に保持され、必要に応じて頭部をスパナで回動して引戸６を所定の高さに位置させた後、ボルト保持体６５、６５が吊り下げ用支持部５３に前側より連結されて、レール部材５に吊り下げ用金具５１を介して吊り下げられる。
【００３０】
閉鎖用係止突起８０は、吊り下げ用金具５１に取り付けられた閉鎖用係止突起支持材８００の上端に設けられるものであって、後述する閉鎖用引き込み装置８の係合体８２の押圧体８２ｃと起動復旧体８２ｄに間に内包される大きさに設定されている。
【００３１】
閉鎖用係止突起支持材８００は、上下方向に長尺な長方形を成す板状のものであって吊り下げ用金具５１の戸尻側に螺合される。
【００３２】
開放用係止突起９０は、吊り下げ用金具５１に取り付けられた開放用係止突起支持材９００の戸先側上端に設けられるものであって、開放用引き込み装置９の係合体９２の押圧体９２ｃと起動復旧体９２ｄに間に内包される大きさに設定されている。
【００３３】
開放用係止突起支持材９００は、水平方向に長尺な板状のものであって、吊り下げ用金具５１の戸先側に、吊り下げ用金具５１から戸先側に突出するように螺合される。
【００３４】
開放用係止突起９０の取り付け後の高さ位置は、閉鎖用係止突起８０より低い位置となるように設定され、開放用係止突起９０の摺動軌道と閉鎖用係止突起８０の摺動軌道が干渉しないように設定される。
また、開放用係止突起９０は、閉鎖用係止突起８０より戸先側に位置するように設けられている。
【００３５】
尚、開放用係止突起を合成樹脂にて成型し、該開放用係止突起と開放用係止突起支持材を別体で形成し互いに連結したものでもよい。
【００３６】
このように設けられた閉鎖用係止突起８０と開放用係止突起９０は、引戸６の摺動に合わせて戸先側と戸尻側の方向で直線状に移動する。
【００３７】
閉鎖用引き込み装置８と開放用引き込み装置９は同じ構成のものが戸先側と戸尻側で対称に取り付けられているため、閉鎖用引き込み装置８についてのみ詳述する。
【００３８】
閉鎖用引き込み装置８は主に、本体ケース８１と、本体ケース８１の内部空間内に組み込まれる引き込み係合体８２、引き込みバネ８３、ブレーキ装置８４より構成されている。
【００３９】
本体ケース８１は、横長長方形を成し、内部に空間を有する筐体であって、図８で示すように内ケース８１ａと外ケース８１ｂとからなり、内ケース８１ａと外ケース８１ｂのそれぞれに案内溝８１１、８１２が設けられる。
案内溝８１１は、引戸６の摺動方向で水平方向に伸びる引き込み案内溝８１１ａと、案内部８１１ａの戸尻側に連接し上部に跳ね上がる格納溝８１１ｂで形成されている。
案内溝８１２も同様に引き込み案内溝８１２ａ、格納溝８１２ｂで形成される。
【００４０】
引き込み係合体８２は、係合部８２ａと案内軸８２ｂが合成樹脂で一体的に成型されており、係合部８２ａは、前述の閉鎖用係止突起８０を上部から係合するように下向きコ字型に形成され、閉鎖用係止突起８０を引き込む方向に押す押圧体８２ｃと、引き込み動作を起動する起動復旧体８２ｄとを備えており、案内軸８２ｂ、８２ｂは、引き込み係合体８２の上部に設けられ、前記案内溝８１１、８１２内を摺動移動し、係合体８２を案内溝８１１、８１２と同じ軌道で摺動移動させるものである。
そして、起動復旧体８２ｄが戸先側、押圧体８２ｃが戸尻側になるように案内軸８２ｂ、８２ｂが、案内溝案内溝８１１、８１２にはめ込まれ、引き込み係合体８２が本体ケース内を案内溝８１１、８１２に沿って摺動移動するように取り付けられる。
【００４１】
引き込みバネ８３は、コイル状のバネであって、一端が内ケース８１ａ内の戸先側前端付近に固定され、他方端が係合体８２に固定され、常に係合体８２を戸先側に引っ張るように張設される。
【００４２】
ブレーキ装置８４は、ブレーキ本体８４ａとブレーキ本体８４ａ内を摺動し、ブレーキ本体８４ａ前端部から伸び縮みするように突出するロッド部８４ｂからなり、ブレーキ本体８４ａは、ロッド８４ｂが格納されるときにブレーキ本体８４ａに封入されたオイルの作用によって、速度が調整され、ロッド８４ｂが縮む時にブレーキがかかるように構成されている。
そして、ブレーキ装置８４は、ブレーキ本体８４ａが、内ケース８１ａ内の戸先側前に固定され、ロッド８４ｂ先端が係合体８２に固定され、引き込み係合体８２が戸先側に移動するときにブレーキがかかるように設置される。
【００４３】
このように構成されたブレーキ装置８４の動作を説明する。
引戸６が閉止している状態で引き込み係合体８２が最も戸先側にあり（図９の状態）、引戸６を開放すると、閉鎖用係止突起８０によって、押圧体８２ｃが押され、引き込み係合体８２が引き込みバネ８３、ブレーキ装置８４のロッド８４ｂを引っ張りながら引き込み案内溝８１１ａ、引き込み案内溝８１２ａに沿って戸尻側に移動する（図１０の状態）。
そして、そのまま引戸６を開放すると、引き込み係合体８２は格納溝８１１ｂ、格納溝８１２ｂに沿って上部に移動し（図１１の状態）、押圧体８２ｃが本体ケース８１内に格納され、起動復旧体８２ｄが本体ケース８１の下面から突出した状態で停止する（図１２の状態）。引き込み係止体８２がこの状態になると閉鎖用係止突起８０は、引き込み係止体８２から開放される。
この時、引き込み係合体８２には、引き込みバネ８３の引っ張り力が常にかかった状態になっているが、格納溝８１２ｂの傾斜角度によって、引き込み係合体８２は移動しない。
【００４４】
次に、前記の状態から引戸６を閉止方向に移動させると、閉鎖用係止突起８０が起動復旧体８２ｄを押圧する（図１３の状態）。起動復旧体８２ｄが押圧されながら戸先側に移動すると、引き込み係止体８２は、格納溝８１２ｂによる固定状態から開放され引き込みバネの引っ張り作用によって、戸先側に移動しはじめる（図１４の状態）。
引き込み係止体８２が戸先側に移動しはじめると、押圧体８２ｃが格納溝８１１ｂ、格納溝８１２ｂに沿って本体ケース８１より突出し閉鎖用係止突起８０を戸尻側から押し、引き込み案内溝８１１ａ、引き込み案内溝８１２ａに沿って閉鎖用係止突起８０を戸先方向に押していくので、引戸６は自動的に閉止していく（図１５から図１６の状態）。
この時、ロッド８４ｂは、縮む方向に押されるためブレーキがかかり、引き込み係止体８２の移動速度が速くならないように調節されている。
【００４５】
開放用引き込み装置９は、閉鎖用引き込み装置８に対して戸先側と戸尻側で対称に取り付けられているため、引戸６の開放側で、閉鎖用引き込み装置８と同様な動作を行い、引戸６を開放側に引き込む。
尚、このような、引き込み係合体、案内溝、引き込みバネ、ブレーキ装置によって構成された引き込み装置は、公知技術であって一般的に多くの種類のものが提供されている。
【００４６】
開放用引き込み装置９は、閉鎖用引き込み装置８と同一の構成であるが、便宜上、本体ケース９１、引き込み係合体９２、係合部９２ａ、引き込みバネ９３、ブレーキ装置９４と記載する。
【００４７】
閉鎖用引き込み装置８と開放用引き込み装置９は、引き込み装置取付座８９を介してレール保持材２に取り付けられる。
【００４８】
閉鎖用引き込み装置８の取り付け位置は、引戸が閉止した位置で閉鎖用係止突起８０と引き込み係止体８２の係合部８２ａが係合する位置とされる。
また、開放用引き込み装置９の取り付け位置は、引戸が開放した位置で開放用係止突起９０と引き込み係止体９２の係合部９２ａが係合する位置とされる。
【００４９】
この閉鎖用引き込み装置８と開放用引き込み装置９の取り付け位置は、あらかじめ引き込み装置取付座８９に設定された螺孔によって決められるので、特段の調整をせずとも閉鎖用引き込み装置８と開放用引き込み装置９は前記の位置に取り付けられることとなる。
レール保持材２にも、あらかじめ引き込み装置取付座８９取り付け用の螺孔が設定され、当然ながら該螺孔に引き込み装置取付座８９を取り付けることによって、閉鎖用引き込み装置８と開放用引き込み装置９は前記のとおりの位置に取り付けられることとなる。
【００５０】
引き込み装置取付座８９は、戸先側と戸尻側に延伸する板状の基材８９１と、基材８９１の戸先側の上端に連接し点検側に突出する閉鎖用引き込み装置取付部８９２と、基材８９１の戸尻側の上端であって、閉鎖用引き込み装置取付部８９２より閉鎖用引き込み装置８の高さ寸法以上低い位置で連接し点検側に突出する開放用引き込み装置取付部８９３で形成される。
すなわち、閉鎖用引き込み装置８は、開放用係止突起９０の摺動軌道（図１７の９０Ａ）から離間した位置、開放用引き込み装置９は、閉鎖用係止突起８０の摺動軌道（図１７の８０Ａ）から離間した位置に設置されるので、閉鎖用引き込み装置８と開放用引き込み装置９は互いに開閉側で近づけて設置させることができ、戸袋部を開放しなくとも閉鎖側と開放側で引戸６を引き込みが可能となる。
したがって、閉鎖用引き込み装置８と開放用引き込み装置９を高さ方向の位置関係で交代させてもよい。
具体的には、開放用引き込み装置９の取り付け位置を、閉鎖用引き込み装置８より高く設定し、それに伴い、開放用引き込み装置８と接触にないように開放用係止突起９０を上方に移動させ、かつ開放用係止突起支持材９００を上方に延伸させる。
【００５１】
閉鎖用引き込み装置８と開放用引き込み装置９が取り付けられた引き込み装置取付座８９は、基材８９１の戸尻側をレール保持材２の点検側ランマパネル側から室内側中枠３、室外側中枠３０の間に挿入され、レール保持材２の戸袋内に設けられた挟持片２０に基材８９１の戸尻側端部から差し込まれ、基材８９１が点検側と固定側方向に動かないように挟持片２０に挟持保持された後、レール保持材２の点検側ランマパネル部で、基材８９１がレール保持材２とネジ８９ａで螺合固定される。
【００５２】
このように、引き込み装置取付座８９は、戸袋内では挟持保持され、点検側ランマパネル部で螺合するだけなので、戸袋部を開放して作業を行う必要がなく、戸袋部に点検側ランマパネルなどを設けて開放する必要がない。
【００５３】
引き込み装置取付座８９は、閉鎖用引き込み装置８と開放用引き込み装置９の両方を取り付けることができる一体型でも、閉鎖用引き込み装置８用と開放用引き込み装置９用とを別々で用意する別体型でもよいが、一体型の方が部品点数も少なく、２体の引き込み装置を同時に取り付けることができるので作業性が良い。また引き込み装置取付座８９は、閉鎖用引き込み装置８用や開放用引き込み装置９と一体的に形成してもよい。
【００５４】
本発明は、上記のように構成され、点検側ランマパネル７が取り外された状態で引き込み装置取付座８９や引戸６が吊り下げられ、すべての調整を終了した後、点検側ランマパネル７が取り付けられる。
【００５５】
次に第２実施例について詳述する。
第１実施例は、閉鎖用引き込み装置８と開放用引き込み装置９の取り付け位置を高さ方向に変位させたものであるが、実施例２は、図１９、図２０に示すように閉鎖用引き込み装置８と開放用引き込み装置９の取り付け位置を点検側と固定側方向で変位させたものである。
具体的には、閉鎖用引き込み装置８と開放用引き込み装置９の取り付け位置を開閉方向で変位させているのは第１実施例と同様であるが、閉鎖用引き込み装置８と開放用引き込み装置９の取り付け位置は、高さ方向で同じで、点検側と固定側方向に変位させている。
【００５６】
閉鎖用係合突起８０と開放用係合突起９０の向きを点検方向と固定方向に変えることによって、閉鎖用係合突起８０と開放用係合突起９０が、それぞれ開放用引き込み装置９と閉鎖用引き込み装置８に干渉することを避けることができる。
尚、実施例２の場合には、第１実施例のように点検側ランマパネルと固定側ランマパネルの表面と引戸の表面を面一にする方法ではなく、引戸６の表面より点検側、固定側に位置して点検側ランマパネル７と固定側ランマパネル７０を設置する形態とされ、閉鎖用引き込み装置８と開放用引き込み装置９の取り付けスペースが設けられる。
また、固定側ランマパネル７０の表面側にも化粧ボード１００が貼られ、壁面との一体感を出している。
【００５７】
当然ながら、閉鎖用引き込み装置８と開放用引き込み装置９の取り付け位置は、実施例１と実施例２を組み合わせて、図２１に示す第３実施例のように上下方向と前後方向を合わせて変位させてもよい。
【符号の説明】
【００５８】
１          引戸枠
１１        建物用鉄骨
１３        戸尻側縦枠
１４        戸先側縦枠
１５        上枠
２          レール保持材
３          前中縦枠
３０        後中縦枠
６          引戸
７          点検側ランマパネル
７０        固定側ランマパネル
８          閉鎖用引き込み装置
８０        閉鎖用係止突起
８２        引き込み係止体
８９        引き込み装置取付座
９          開放用引き込み装置
９０        開放用係止突起
９２        引き込み係止体
１００      化粧ボード
【図１】
0006370680.tif 000002
【図２】
0006370680.tif 000003
【図３】
0006370680.tif 000004
【図４】
0006370680.tif 000005
【図５】
0006370680.tif 000006
【図６】
0006370680.tif 000007
【図７】
0006370680.tif 000008
【図８】
0006370680.tif 000009
【図９】
0006370680.tif 000010
【図１０】
0006370680.tif 000011
【図１１】
0006370680.tif 000012
【図１２】
0006370680.tif 000013
【図１３】
0006370680.tif 000014
【図１４】
0006370680.tif 000015
【図１５】
0006370680.tif 000016
【図１６】
0006370680.tif 000017
【図１７】
0006370680.tif 000018
【図１８】
0006370680.tif 000019
【図１９】
0006370680.tif 000020
【図２０】
0006370680.tif 000021
【図２１】
0006370680.tif 000022